(57)【要約】【課題】従来、異なる時刻に受信した複数の番組情報を格納し、格納した新番組情報と旧番組情報を比較し、抽出した差分情報に基づいて、表示色を変更して電子番組表を表示するという装置がある。しかし、少ない記憶容量で、表示する番組情報が前回表示した番組情報と異なることをユーザに通知することができないという課題があった。【解決手段】情報表示部１０と、比較情報計算部２０と、情報比較部３０と、比較情報記憶部４０とを備え、情報量の少ない前回表示した情報の比較情報および前回表示した情報を特定するための情報を記憶することにより、情報を表示する際に、情報比較部３０が前回表示した情報の比較情報と今回表示する情報の比較情報を比較することで一致するかしないかを検出することができ、一致しなかった情報について表示色を変更することが可能となる。【選択図】図１
2007201589.tif 000002
【特許請求の範囲】
【請求項１】
情報を受信する手段と、記憶されている情報を受信した情報に基づいて更新する手段と、更新された情報を記憶する手段と、情報を表示する手段と、比較情報を計算する手段と、情報を比較する手段と、前記比較情報を計算する手段で算出された比較情報および前記情報を表示する手段を用いて表示する情報を特定することができる情報を記憶する手段とを具備することを特徴とする情報更新通知装置。
【請求項２】
前記情報を表示する手段において、表示する情報を項目ごとに分割する手段と、前記比較情報を計算する手段で算出された比較情報と前記情報を表示する手段を用いて表示する情報を特定することができる情報および前記表示する情報を項目ごとに分割する手段を用いて分割された項目を特定することができる情報を記憶する手段とを具備することを特徴とする請求項１記載の情報更新通知装置。
【発明の詳細な説明】
【技術分野】
【０００１】
本発明は、情報を受信、更新、記憶および表示する技術における情報更新通知装置に関するものである。
【背景技術】
【０００２】
従来の情報更新通知装置は、異なる時刻に受信した複数の番組情報を格納し、該格納した複数の番組情報を比較して前記番組情報の変更された部分を差分情報として抽出し、前記複数の番組情報のうちの最新の番組情報と前記差分情報とに基づいて、電子番組表（ＥＰＧ）を生成し、且つ前記番組情報の変更された部分の表示色を前記差分情報に基づいて変更して前記電子番組表を表示することで、ユーザに変更部分を通知していた。（例えば、特許文献１参照）。図５は、前記特許文献１に記載された従来の情報更新通知装置を示すものである。
【０００３】
図５において、比較部２５では、新番組情報記憶部２１に格納されている新番組情報と旧番組情報記憶部２２に格納されている旧番組情報との比較が行われ、番組のタイトルや放送時間などの内容において差分（変更された部分）が差分情報として抽出され、該差分情報が加算部２７に供給される。加算部２７は新番組情報記憶部２１に格納されている新番組情報に、比較部２５から与えられる前記差分情報を付加してＥＰＧ復号部にデータを送る。ＥＰＧ復号部では、加算部２７から与えられたデータをもとに、前記番組情報を表示画面にどのような配置や表示色で表示するかという表示態様を決める画面構成ステップが実施される。
【特許文献１】特許第３６２６０６１号公報
【発明の開示】
【発明が解決しようとする課題】
【０００４】
しかしながら、前記従来の構成では、異なる時刻に受信した複数の番組情報を格納し、該格納した複数の番組情報を比較して前記番組情報の変更された部分を差分情報として抽出するため、前記差分情報を抽出する番組または項目を特定しない場合、前記複数の番組情報を格納しておくための多くの記憶領域を必要とするという課題を有していた。
【０００５】
本発明は、前記従来の課題を解決するもので、情報量の少ない前回表示した情報から算出した比較情報および前回表示した情報を特定するための情報を記憶しておき、前記前回表示した情報から算出した比較情報と情報を表示するときに算出する比較情報を比較することにより、情報の変更を検出し、情報の変更を検出するために必要な記憶領域を少なくした情報更新通知装置を提供することを目的とする。
【０００６】
また、前記従来の構成では、格納した番組情報の差分情報に基づいて表示色を変更するため、再度変更された番組情報を受信するまでは、番組情報を表示するたびに同じ変更内容が何度も通知されることになり、前回表示した情報からの変更点の抽出が不可能という課題を有していた。
【０００７】
本発明は、前記従来の課題を解決するもので、前回表示した情報から算出した比較情報および前回表示した情報を特定するための情報を記憶しておき、前記前回表示した情報から算出した比較情報と情報を表示するときに算出する比較情報を比較することにより、情報の変更を検出し、同じ変更内容が何度も通知されることを避け、前回表示した情報からの変更点の抽出を可能にした情報更新通知装置を提供することを目的とする。
【課題を解決するための手段】
【０００８】
前記従来の課題を解決するために、本発明の情報更新通知装置は、情報を表示する手段と、比較情報を計算する手段と、情報を比較する手段と、前記比較情報を計算する手段で算出された比較情報および前記情報を表示する手段を用いて表示する情報を特定することができる情報を記憶する手段とを有し、情報を表示する際に、前回表示した情報の比較情報と今回表示する情報の比較情報を比較する。
【０００９】
本構成によって、情報量の少ない前回表示した情報の比較情報および前回表示した情報を特定するための情報を記憶し、情報を表示する際に、前回表示した情報の比較情報と今回表示する情報の比較情報を比較することで一致するかしないかを検出することができ、一致しなかった情報について表示色を変更することが可能となる。
【発明の効果】
【００１０】
本発明の情報更新通知装置によれば、少量の記憶領域により、情報の変更を検出することが可能となり、また、前回表示した情報からの変更点の抽出が可能になる。
【発明を実施するための最良の形態】
【００１１】
以下本発明を実施するための最良の形態について、図面を参照しながら説明する。
【００１２】
（実施の形態１）
図１は、本発明の実施の形態１に係る情報更新通知装置の構成を示すブロック図である。
【００１３】
１００は情報更新通知装置を有するテレビ受信機、１０は情報を表示する情報表示部、２０は比較情報を計算する比較情報計算部、３０は情報を比較する情報比較部、４０は比較情報計算部２０で計算した比較情報および情報表示部１０で表示した情報を特定することができる情報を記憶する比較情報記憶部、５０は受信または更新された情報を記憶する受信情報記憶部、６０は過去に受信した情報を新たに受信した情報に更新する受信情報更新部、７０は情報を受信する情報受信部である。
【００１４】
次に、本発明の情報更新通知処理について、図２に示すフローチャートを用いて説明する。
【００１５】
情報受信部７０において、情報を受信する（図２のステップ１０）。受信情報更新部６０において、過去に受信した情報を新たに受信した情報に更新する（図２のステップ２０）。受信情報記憶部５０において、受信または更新された情報を記憶する（図２のステップ３０）。情報表示部１０において、情報を表示する際に、受信情報記憶部５０から表示する情報を取得する（図２のステップ４０）。比較情報計算部２０において、表示する情報の比較情報を算出する（図２のステップ５０）。情報比較部３０において、表示する情報を特定する情報を用いて、比較情報記憶部４０から前回表示した同情報の比較情報を取得する（図２のステップ６０）。情報比較部３０において、ステップ５０において算出した表示する情報の比較情報とステップ６０において取得した前回表示した同情報の比較情報を比較する（図２のステップ７０）。ステップ７０の比較結果が、一致しないという結果であれば、情報表示部１０において、表示する情報の表示色を変更し（図２のステップ８０）、情報比較部３０を介して、比較情報記憶部４０において、ステップ５０において算出した表示する情報の比較情報および表示する情報を特定するための情報を記憶する（図２のステップ９０）。情報表示部１０において、情報を表示する（図２のステップ１００）。前記ステップ７０の比較結果が、一致するという結果であれば、情報表示部１０において、情報を表示する（前記図２のステップ１００）。処理を終了する。
【００１６】
（実施の形態２）
図３は、本発明の実施の形態２に係る情報更新通知装置の構成を示すブロック図である。
【００１７】
１００は情報更新通知装置を有するテレビ受信機、１０は情報を表示する情報表示部、１５は表示する情報を項目ごとに分割する情報分割部、２０は比較情報を計算する比較情報計算部、３０は情報を比較する情報比較部、４０は比較情報計算部２０で計算した比較情報と情報表示部１０で表示した情報を特定することができる情報および表示した項目を特定することができる情報を記憶する比較情報記憶部、５０は受信または更新された情報を記憶する受信情報記憶部、６０は過去に受信した情報を新たに受信した情報に更新する受信情報更新部、７０は情報を受信する情報受信部である。
【００１８】
次に、本発明の情報更新通知処理について、図４に示すフローチャートを用いて説明する。
【００１９】
情報受信部７０において、情報を受信する（図４のステップ１０）。受信情報更新部６０において、過去に受信した情報を新たに受信した情報に更新する（図４のステップ２０）。受信情報記憶部５０において、受信または更新された情報を記憶する（図４のステップ３０）。情報表示部１０において、情報を表示する際に、受信情報記憶部５０から表示する情報を取得する（図４のステップ４０）。情報分割部１５において、表示する情報を項目ごとに分割する（図４のステップ５０）。表示すべきだが表示していない項目があるか確認する（図４のステップ６０）。ステップ６０の確認結果が、あるという結果であれば、比較情報計算部２０において、表示する項目の比較情報を算出する（図４のステップ７０）。情報比較部３０において、表示する情報を特定する情報および表示する項目を特定する情報を用いて、比較情報記憶部４０から前回表示した同情報および同項目の比較情報を取得する（図４のステップ８０）。情報比較部３０において、ステップ７０において算出した表示する項目の比較情報とステップ８０において取得した前回表示した同情報および同項目の比較情報を比較する（図４のステップ９０）。ステップ９０の比較結果が、一致しないという結果であれば、情報表示部１０において、表示する情報の表示色を変更し（図４のステップ１００）、情報比較部３０を介して、比較情報記憶部４０において、ステップ７０において算出した表示する情報の比較情報と表示する情報を特定するための情報および表示する項目を特定するための情報を記憶する（図４のステップ１１０）。情報表示部１０において、情報を表示する（図４のステップ１２０）。前記ステップ９０の比較結果が、一致するという結果であれば、情報表示部１０において、情報を表示する（前記図２のステップ１２０）。前記ステップ６０に戻る。前記ステップ６０の確認結果が、ないという結果であれば、処理を終了する。
【産業上の利用可能性】
【００２０】
本発明にかかる情報更新通知装置は、少量の記憶領域により、情報の変更を検出することが可能となり、また、前回表示した情報からの変更点が認識しやすくなるので、情報を受信、更新、記憶および表示する技術における情報更新通知装置として有用である。
【図面の簡単な説明】
【００２１】
【図１】本発明の実施の形態１における情報更新通知装置の構成を示すブロック図
【図２】本発明の実施の形態１における情報更新通知処理を示すフローチャート
【図３】本発明の実施の形態２における情報更新通知装置の構成を示すブロック図
【図４】本発明の実施の形態２における情報更新通知処理を示すフローチャート
【図５】従来の情報更新通知装置の構成を示すブロック図
【符号の説明】
【００２２】
１００    テレビ受信機
１０    情報表示部
２０    比較情報計算部
３０    情報比較部
４０    比較情報記憶部
５０    受信情報記憶部
６０    受信情報更新部
７０    情報受信部
１５    情報分割部
２６    番組情報記憶部
２１    新番組情報記憶部
２２    旧番組情報記憶部
２５    比較部
２７    加算部
【図１】
2007201589.tif 000003
【図２】
2007201589.tif 000004
【図３】
2007201589.tif 000005
【図４】
2007201589.tif 000006
【図５】
2007201589.tif 000007